(57)【要約】      （修正有）【課題】特に所望の位置に簡単に設置できる安全ゲート及びその掛止装置を提供する。【解決手段】安全ゲートは、ゲート本体及び少なくとも１つの掛止装置２０を有し、ゲート本体は、複数の棒体１０、１２、１３、１４を備え、掛止装置は、ゲート本体の棒体に取り付けられ、それぞれ固定部材と、回動部材と、ロック部材を備え、そのうち、固定部材は、管状を呈し、封止端と、封止端の端面から突出する少なくとも１つのロッドと、外周面に径方向に凹設される凹部を備え、回動部材は、回転可能に固定部材に取り付けられ、開口端と、開口端と反対する封止端と、少なくとも１つのガイド構造と、ロック穴を備え、ガイド構造は、回動部材の内側に凸設され、傾斜状のガイドルートを備え、ガイドルートの一端が高位端で、他端が低位端であり、ロッドがそれぞれ摺動可能にガイド構造のガイドルートに当接するように組み合わされ、ロック穴が周面に径方向に形成され、ロック部材は、固定部材の凹部に嵌め込まれる。【選択図】図１
0003207571.tif 000002
【実用新案登録請求の範囲】
【請求項１】
封止端と、該封止端の端面から突出する少なくとも１つのロッドと、外周面に径方向に凹設される凹部を備える、管状を呈する固定部材と、
回転可能に前記固定部材に取り付けられ、開口端と、封止端と、少なくとも１つのガイド構造と、ロック穴を備え、そのうち、封止端は、開口端と反対するように形成され、該ガイド構造は、内側に凸設され、傾斜状のガイドルートを備え、該ガイドルートの一端が高位端で、他端が低位端であり、前記固定部材のロッドがそれぞれ摺動可能にガイド構造のガイドルートに当接するように組み合わされ、該ロック穴が周面に径方向に形成される、回動部材と、
前記回動部材を固定部材に位置決め固定するために、進退可能に該回動部材のロック穴から突出するように固定部材の凹部に嵌め込まれるロック部材と、を有することを特徴とする安全ゲートの掛止装置。
【請求項２】
前記ガイド構造のガイドルートの高位端に止め部が凸設され、
前記固定部材のロッドが選択可能に止め部に当接するように位置制限されることを特徴とする請求項１に記載の安全ゲートの掛止装置。
【請求項３】
前記回動部材を元の位置に復位させる力を提供するために、該回動部材に復位部材が連接されることを特徴とする請求項１に記載の安全ゲートの掛止装置。
【請求項４】
前記回動部材の封止端を貫くように挿設穴が軸方向に形成されると共に、前記固定部材の封止端を貫くように貫通穴が軸方向に形成され、
前記復位部材は、復位ばね及びバーを備え、該復位ばねは、固定部材の内側壁と当接するように回動部材に内装されると共に、該バーは、復位ばねと連接するように、固定部材の貫通穴及び回動部材の挿設穴に貫設され、Ｔ字形の断面を有することを特徴とする請求項３に記載の安全ゲートの掛止装置。
【請求項５】
前記復位部材のバーにおける、復位ばねと反対する端に滑り止めパッドが取り付けられることを特徴とする請求項４に記載の安全ゲートの掛止装置。
【請求項６】
複数の棒体を備える、ゲート本体及び、
前記ゲート本体の棒体に取り付けられ、それぞれ固定部材と、回動部材と、ロック部材を備え、そのうち、固定部材は、管状を呈し、封止端と、該封止端の端面から突出する少なくとも１つのロッドと、外周面に径方向に凹設される凹部を備え、該回動部材は、回転可能に前記固定部材に取り付けられ、開口端と、該開口端と反対する封止端と、少なくとも１つのガイド構造と、ロック穴を備え、該ガイド構造は、回動部材の内側に凸設され、傾斜状のガイドルートを備え、該ガイドルートの一端が高位端で、他端が低位端であり、前記固定部材のロッドがそれぞれ摺動可能にガイド構造のガイドルートに当接するように組み合わされ、該ロック穴が周面に径方向に形成され、該ロック部材は、回動部材を固定部材に位置決め固定するために、進退可能に該回動部材のロック穴から突出するように固定部材の凹部に嵌め込まれる、少なくとも１つの掛止装置を有することを特徴とする安全ゲート。
【請求項７】
前記ゲート本体に少なくとも１つの調整装置が取り付けられ、該各調整装置は、押付部材と、調整棒と、調整リングを備え、そのうち、押付部材は、ゲート本体に取り付けられ、軸方向に調整穴が形成され、該調整棒はねじ棒であり、押付部材の調整穴に貫設され、その一端が押付部材の調整穴から延出し、その延出した端面にキャップが取り付けられ、該調整リングは、押付部材とキャップとの間に位置するように調整棒に環装され、ねじ穴を有し、該ねじ穴により調整棒と螺合されることを特徴とする請求項６に記載の安全ゲート。
【請求項８】
前記調整装置の調整リングにおける押付部材側の端面に複数の制限溝がそれぞれ環状に配列するように形成され、
前記調整装置の押付部材における調整リング側の端面に、少なくとも１つの制限凸部が設けられ、該制限凸部が摺動可能に調整リングの制限溝に嵌め込まれることを特徴とする請求項７に記載の安全ゲート。
【請求項９】
前記ゲート本体は、第一棒体及び第二棒体を備え、該第一棒体及び第二棒体は、互いに平行するように設置され、それぞれ第一端及び第二端を備え、
更に２つの掛止装置を有し、該２つの掛止装置が第一棒体の第一端及び第二棒体の第一端に取り付けられ、
更に２つの調整装置を有し、該２つの調整装置がそれぞれ第一棒体の第二端及び第二棒体の第二端に取り付けられることを特徴とする請求項７に記載の安全ゲート。
【請求項１０】
前記ゲート本体は、第三棒体及び第四棒体を備え、該第三棒体及び第四棒体は互いに平行するように第一棒体と第二棒体の間に設置され、
前記各掛止装置の固定部材における、凹部の反対する側にスリーブが径方向に延設され、該スリーブは、固定部材の外周面に、該スリーブが着脱可能に第三棒体の一端をカバーするように環装されることを特徴とする請求項９に記載の安全ゲート。
【考案の詳細な説明】
【技術分野】
【０００１】
本考案は、特に所望の位置に簡単に設置できる安全ゲートに関するものである。
【背景技術】
【０００２】
安全ゲートは、乳幼児や子供を危険や事故から未然に守るために、安全な活動空間の周囲に設置するものであり、従来の安全ゲートは、使用する時、相対する両側壁の間またはドアのフレームに配置してから、ボルトや紐などで固定する。
【考案の概要】
【考案が解決しようとする課題】
【０００３】
しかしながら、従来の安全ゲートの取り付け方法は、面倒で時間がかかり、また安全ゲートの体積が大きく、収納や搬送も非常に面倒であった。
【課題を解決するための手段】
【０００４】
本考案の安全ゲートの掛止装置は、
封止端と、該封止端の端面から突出する少なくとも１つのロッドと、外周面に径方向に凹設される凹部を備える、管状を呈する固定部材と、
回転可能に前記固定部材に取り付けられ、開口端と、封止端と、少なくとも１つのガイド構造と、ロック穴を備え、そのうち、封止端は、開口端と反対するように形成され、該ガイド構造は、内側に凸設され、傾斜状のガイドルートを備え、該ガイドルートの一端が高位端で、他端が低位端であり、前記固定部材のロッドがそれぞれ摺動可能にガイド構造のガイドルートに当接するように組み合わされ、該ロック穴が周面に径方向に形成される、回動部材と、
前記回動部材を固定部材に位置決め固定するために、進退可能に該回動部材のロック穴から突出するように固定部材の凹部に嵌め込まれるロック部材と、を有するものである。
【０００５】
かかる安全ゲートの掛止装置において、
前記ガイド構造のガイドルートの高位端に止め部が凸設され、
前記固定部材のロッドが選択可能に止め部に当接するように位置制限されることが好ましい。
【０００６】
かかる安全ゲートの掛止装置において、前記回動部材を元の位置に復位させる力を提供するために、該回動部材に復位部材が連接されることが好ましい。
【０００７】
かかる安全ゲートの掛止装置において、
前記回動部材の封止端を貫くように挿設穴が軸方向に形成されると共に、前記固定部材の封止端を貫くように貫通穴が軸方向に形成され、
前記復位部材は、復位ばね及びバーを備え、該復位ばねは、固定部材の内側壁と当接するように回動部材に内装されると共に、該バーは、復位ばねと連接するように、固定部材の貫通穴及び回動部材の挿設穴に貫設され、Ｔ字形の断面を有することが好ましい。
【０００８】
かかる安全ゲートの掛止装置において、前記復位部材のバーにおける、復位ばねと反対する端に滑り止めパッドが取り付けられることが好ましい。
【０００９】
本考案の安全ゲートでは、
複数の棒体を備える、ゲート本体及び、
前記ゲート本体の棒体に取り付けられ、それぞれ固定部材と、回動部材と、ロック部材を備え、そのうち、固定部材は、管状を呈し、封止端と、該封止端の端面から突出する少なくとも１つのロッドと、外周面に径方向に凹設される凹部を備え、該回動部材は、回転可能に前記固定部材に取り付けられ、開口端と、該開口端と反対する封止端と、少なくとも１つのガイド構造と、ロック穴を備え、該ガイド構造は、回動部材の内側に凸設され、傾斜状のガイドルートを備え、該ガイドルートの一端が高位端で、他端が低位端であり、前記固定部材のロッドがそれぞれ摺動可能にガイド構造のガイドルートに当接するように組み合わされ、該ロック穴が周面に径方向に形成され、該ロック部材は、回動部材を固定部材に位置決め固定するために、進退可能に該回動部材のロック穴から突出するように固定部材の凹部に嵌め込まれる、少なくとも１つの掛止装置を有する。
【００１０】
かかる安全ゲートにおいて、
前記ゲート本体に少なくとも１つの調整装置が取り付けられ、該各調整装置は、押付部材と、調整棒と、調整リングを備え、そのうち、押付部材は、ゲート本体に取り付けられ、軸方向に調整穴が形成され、該調整棒はねじ棒であり、押付部材の調整穴に貫設され、その一端が押付部材の調整穴から延出し、その延出した端面にキャップが取り付けられ、該調整リングは、押付部材とキャップとの間に位置するように調整棒に環装され、ねじ穴を有し、該ねじ穴により調整棒と螺合されることが好ましい。
【００１１】
かかる安全ゲートにおいて、
前記調整装置の調整リングにおける押付部材側の端面に複数の制限溝がそれぞれ環状に配列するように形成され、
前記調整装置の押付部材における調整リング側の端面に、
少なくとも１つの制限凸部が設けられ、該制限凸部が摺動可能に調整リングの制限溝に嵌め込まれることが好ましい。
【００１２】
かかる安全ゲートにおいて、
前記ゲート本体は、第一棒体及び第二棒体を備え、該第一棒体及び第二棒体は、互いに平行するように設置され、それぞれ第一端及び第二端を備え、
更に２つの掛止装置を有し、該２つの掛止装置が第一棒体の第一端及び第二棒体の第一端に取り付けられ、
更に２つの調整装置を有し、該２つの調整装置がそれぞれ第一棒体の第二端及び第二棒体の第二端に取り付けられることが好ましい。
【００１３】
かかる安全ゲートにおいて、
前記ゲート本体は、第三棒体及び第四棒体を備え、該第三棒体及び第四棒体は互いに平行するように第一棒体と第二棒体の間に設置され、
前記各掛止装置の固定部材における、凹部の反対する側にスリーブが径方向に延設され、該スリーブは、固定部材の外周面に、該スリーブが着脱可能に第三棒体の一端をカバーするように環装されることが好ましい。
【考案の効果】
【００１４】
本考案の安全ゲート及びその掛止装置は、上記の構成を有することから、両側壁またはドアフレームに装着する時、調整装置の調整棒を一方の側壁またはドアフレームの一側に当接するように位置合わせし、回転させて側壁とゲート本体との距離に応じて調整棒の押付部材４２から伸長させるように調整し、そして、掛止装置２０の回動部材２４を回して、回動部材２４または復位部材２８のバー２８４を他方の側壁またはドアフレームの他側に当接すように取り付ける。この構成によれば、本考案の安全ゲートを簡単かつ強固に両側壁またはドアフレームに装着することができる。さらに、本考案の安全ゲートは、調整装置４０を有するため、側壁またはドアフレームとの距離に応じて調整可能である。
【図面の簡単な説明】
【００１５】
【図１】本考案に係る安全ゲートの使用状態の正面図である。
【図２】本考案に係る安全ゲートの部分拡大断面図である。
【図３】本考案に係る安全ゲートにおける掛止装置の拡大断面図である。
【図４】図３の固定部材の拡大斜視図である。
【図５】図３の回動部材の拡大斜視図である。
【図６】図３の回動部材の他の拡大斜視図である。
【図７】本考案に係る安全ゲートの調整装置の拡大断面図である。
【図８】図７の調整装置における押付部材の拡大斜視図である。
【図９】図７の調整装置における調整リングの端面図である。
【図１０】本考案に係る安全ゲートにおける第一棒体の部分断面図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
以下の記載について、「一方の部材が他方の部材に取り付けられる」の記載は、「一方の部材が直接に他方の部材に取り付けられてもよく、一方の部材が介在部材を介して他方の部材に取り付けられてもよい」の意味であり、すなわち、如何なる取付手段で取り付けても構わない。また、「一方の部材が他方の部材と連接する」の記載は、「一方の部材が直接に他方の部材に連接してもよく、一方の部材が介在部材を介して他方の部材に連接してもよい」の意味であり、すなわち、如何なる連接手段で連接しても構わない。
【００１８】
図１に示すように、本考案の安全ゲートは、ゲート本体と、少なくとも１つの掛止装置２０と、少なくとも１つの調整装置４０を有し、該ゲート本体は、複数の棒体を備える。本実施例のゲート本体は、第一棒体１０と、第二棒体１２と、第三棒体１３と、第四棒体１４を備え、そのうち、第一棒体１０と第二棒体１２は、互いに平行するように設置され、該第三棒体１３と第四棒体１４は、互いに平行するように第一棒体１０と第二棒体１２の間に設置される。また、図１０に示すように、前記第一棒体１０及び第二棒体１２はそれぞれ、第一端と、第二端と、外パイプ１０２と、内パイプ１０４を備え、該内パイプ１０４が摺動可能に外パイプ１０２の一端から挿設され、該内パイプ１０４の内部に弾性タブ１０６が取り付けられ、該弾性タブ１０６に弾性突起が設けられ、該弾性突起が内パイプ１０４の周壁から突出するように外パイプ１０２の複数の位置決め穴のうちの１つに挿し込まれて係合される。尚、前記第一棒体１０及び第二棒体１２はそれぞれ、伸縮可能で両側壁の距離またはドアフレームの幅に応じて自由に調整することができる。
【００１９】
前記ゲート本体はさらに織物５０を含み、該織物５０は、第一棒体１０と、第二棒体１２と、第三棒体１３と、第四棒体１４に張架されると共に、前記掛止装置２０は、第一棒体１０または第二棒体１２に取り付けられる。尚、本実施例は、２つの掛止装置２０を有し、該２つの掛止装置２０が第一棒体１０の第一端及び第二棒体１２の第一端に取り付けられる。
【００２０】
図２乃至図６に示すように、前記各掛止装置２０は、固定部材２２と、回動部材２４と、ロック部材２６と、復位部材２８を備え、該固定部材２２は、管状を呈し、第一棒体１０及び掛止装置２０の端部に環装され、封止端と、少なくとも１つのロッド２２２と、凹部２２４と、貫通穴２２６と、スリーブ２２８を備え、該封止端は、固定部材２２における、第一棒体１０及び第二棒体２０と反対する端に設けられ、該ロッド２２２は、封止端の端面から突出する。尚、本実施例においては、２本のロッド２２２が突出することが好ましく、該凹部２２４は、固定部材２２の外周面における封止端の近傍に径方向に凹設され、該貫通穴２２６は、封止端を貫くように固定部材２２の軸方向に形成され、該スリーブ２２８は、固定部材２２の外周面における、凹部２２４と反対する側に径方向に延設され、該スリーブ２２８が着脱可能に第三棒体１３の一端をカバーするように環装される。更に、本実施例の第三棒体１３は、掛止装置２０の固定部材２２を介して第一棒体１０または掛止装置２０に連接されるが、他の実施例においては、第三棒体１３が直接に第一棒体１０及び第二棒体１２に連接されてもよく、この場合、掛止装置２０の固定部材２２にスリーブ２２８を設けなくても構わない。
【００２１】
前記回動部材２４は、回転可能に固定部材２２に取り付けられ、開口端と、封止端と、少なくとも１つのガイド構造２４２と、ロック穴２４４と、挿設穴２４６と、操作タブ２４８を備え、そのうち、該回動部材２４の開口端は、固定部材２２の封止端をカバーするように環装され、該回動部材２４の封止端は、開口端と反対するように形成され、該ガイド構造２４２は、回動部材２４の内側に凸設されると共に、傾斜状のガイドルート２４３を備え、該ガイドルート２４３の一端は高位端となり、他端は低位端となる。尚、本実施例では、回動部材２４の内側に２つのガイド構造２４２が設けられることが好ましい。
前記固定部材２２のロッド２２２はそれぞれ、摺動可能にガイド構造２４２のガイドルート２４３に当接するように組み合わされ、該ガイド構造２４２のガイドルート２４３の高位端に止め部２４５が凸設され、また、前記ロック穴２４４は、回動部材２４の周面に径方向に形成され、該挿設穴２４６は、回動部材２４の封止端を貫くように軸方向に形成され、該操作タブ２４８は、回動部材２４の外周面に延設され、使用者が操作タブ２４８を持って回すと、回動部材２４が固定部材２２に対して回転する。
【００２２】
前記ロック部材２６は、進退可能にロック穴２４４から突出するように凹部２２４に嵌め込まれ、該ロック部材２６により、回動部材２４が固定部材２２に位置決め固定される。また、前記凹部２２４にばね２６２がロック部材２６と当接するように嵌め込まれ、該ロック部材２６はばね２６２により、凹部２２４から回動部材２４のロック穴２４４から突出するように係合される。
【００２３】
前記復位部材２８は、回動部材２４に連接され、回動部材２４を元の位置に復位させる力を提供すると共に、復位ばね２８２及びバー２８４を備え、該復位ばね２８２は、固定部材２２の内側壁と当接するように回動部材２４に内装され、圧縮ばねであることが好ましい。一方、バー２８４は、復位ばね２８２と連接するように、固定部材２２の貫通穴２２６及び回動部材２４の挿設穴２４６に貫設され、断面Ｔ字形を呈し、該バー２８４における、復位ばね２８２と反対する端に滑り止めパッド２８６が取り付けられる。
【００２４】
前記回動部材２４を固定部材２２に対して回転させる時は、該固定部材２２のロッド２２２を、ガイド構造２４２のガイドルート２４３に沿って低位端から高位端に摺動させれば、復位ばね２８２が圧縮して、回動部材２４またはバー２８４に設けられた滑り止めパッド２８６が軸方向に押し出されて側壁やドアフレームに押付けられる。この時、ロック部材２６がばね２６２からの付勢力によって回動部材２４のロック穴２４４から突出して係合するので、回動部材２４が固定部材２２に位置決められる。
【００２５】
一方、本考案の安全ゲートを取り外す時は、まずロック部材２６をロック穴２４４から凹部２２４まで押圧して縮退させ、回動部材２４を復位ばね２８２の付勢力によって固定部材２２へ移動させて側壁やドアフレームから離間させれば、側壁やドアフレームの当接状態を解除でき、また、固定部材２２のロッド２２２がガイド構造２４２のガイドルート２４３に沿って自動的に高位端から低位端へ摺動することから、回動部材２４は固定部材２２に対して自動的に復位することができる。
【００２６】
図１及び図７乃至図９に示すように、前記ゲート本体に少なくとも１つの調整装置４０が取り付けられる。尚、本実施例では、２つの調整装置４０を有し、該２つの調整装置４０はそれぞれ、第一棒体１０の第二端及び第二棒体１２の第二端に取り付けられるが、その２つの調整装置４０は、第四棒体１４の両端に取り付けてもよく、第一棒体１０及び第二棒体１２の端部に取り付けてもよい。
【００２７】
前記各調整装置４０は、押付部材４２と、調整棒４４と、調整リング４６を備え、そのうち押付部材４２は、第一棒体１０または第二棒体１２の端部をカバーするように環装され、軸方向の調整穴４２２が形成されると共に、第四棒体１４の端部をカバーするように環装された径方向の結合スリーブ４２４が設けられ、押付部材４２が第四棒体１４に装着される。
前記調整棒４４は、ねじ棒であり、側壁またはドアフレームに当接すると共に、押付部材４２の調整穴４２２に貫設され、その一端が押付部材４２の調整穴４２２から延出し、その延出した端面にキャップ４４２が取り付けられる。前記調整リング４６は、押付部材４２とキャップ４４２との間に位置するように調整棒４４に環装され、中心にねじ穴４６２が形成され、そのねじ穴４６２により調整棒４４と螺合される。
【００２８】
さらに、前記調整装置４０の調整リング４６における押付部材４２側の端面に複数の制限溝４６４がそれぞれ環状に配列するように形成され、前記押付部材４２における調整リング４６側の端面に、少なくとも１つの制限凸部４２６が設けられ、該制限凸部４２６が摺動可能に制限溝４６４に嵌め込まれ、その制限凸部４２６が制限溝４６４に沿って摺動可能であることから、摺動範囲により、調整リング４６と押付部材４２との回転角度を制限できるので、不注意による調整棒４４の側壁またはドアフレームからの脱落を防止できる。
【産業上の利用可能性】
【００２９】
本考案の安全ゲートを両側壁またはドアフレームに装着する時は、調整装置４０の調整棒４４を、一方の側壁またはドアフレームの一側に当接するように取り付け、回転により調整棒４４の押付部材４２から伸びた長さを側壁とゲート本体との距離によって調整する。そして、掛止装置２０の回動部材２４を回転させて、回動部材２４または復位部材２８のバー２８４を他方の側壁またはドアフレームの他側に当接するように取り付ける。この構成によれば、本考案の安全ゲートを簡単かつ確固に両側壁またはドアフレームに装着することができる。さらに、本考案の安全ゲートには調整装置４０を有するため、側壁またはドアフレームとの距離に応じて自由に調整可能である。
【符号の説明】
【００３０】
１０            第一棒体
１０２          外パイプ
１０４          内パイプ
１０６          弾性タブ
１２            第二棒体
１３            第三棒体
１４            第四棒体
２０            掛止装置
２２            固定部材
２２２          ロッド
２２４          凹部
２２６          貫通穴
２２８          スリーブ
２４            回動部材
２４２          ガイド構造
２４３          ガイドルート
２４４          ロック穴
２４５          止め部    
２４６          挿設穴
２４８          操作タブ
２６            ロック部材
２６２          ばね
２８            復位部材
２８２          復位ばね
２８４          バー
２８６          滑り止めパッド
４０            調整装置
４２            押付部材
４２２          調整穴
４４            調整棒
４４２          キャップ
４６            調整リング
４６２          ねじ穴
４６４          制限溝
５０            織物
【図１】
0003207571.tif 000003
【図２】
0003207571.tif 000004
【図３】
0003207571.tif 000005
【図４】
0003207571.tif 000006
【図５】
0003207571.tif 000007
【図６】
0003207571.tif 000008
【図７】
0003207571.tif 000009
【図８】
0003207571.tif 000010
【図９】
0003207571.tif 000011
【図１０】
0003207571.tif 000012